(57)【要約】  本発明は、固定子と、回転子の位置検出回路が実装された基板とを含み、モールド樹脂に外郭が形成されたモールド固定子であって、固定子の軸方向の一端に取付けられ、電源リード線を固定子の巻線まで配線するとともに、センサリード線を位置検出回路まで配線する、ドーナツ形状のリード線配線部品１と、リード線配線部品１の径外側に設けられ、電源リード線およびセンサリード線をモールド固定子の外部に口出しする口出し部品６と、口出し部品６に組み付けられ電源リード線を保持する電源リード線保持部品と、口出し部品６に組み付けられセンサリード線を保持するセンサリード線保持部品と、を備え、口出し部品６は、センサリード線保持部品を係り止める係り止め部２６ｂに接続され、固定子の径方向に対して略垂直な平面部としての突起１７を径外側に備える。
2015059775.tif 000002
【特許請求の範囲】
【請求項１】
固定子と、回転子の位置検出回路が実装された基板とを含み、モールド樹脂に外郭が形成されたモールド固定子であって、
前記固定子の軸方向の一端に取付けられ、電源リード線を前記固定子の巻線まで配線するとともに、センサリード線を前記位置検出回路まで配線する、ドーナツ形状のリード線配線部品と、
前記リード線配線部品の径外側に設けられ、前記電源リード線および前記センサリード線をモールド固定子の外部に口出しする口出し部品と、
前記口出し部品に組み付けられ前記電源リード線を保持する電源リード線保持部品と、
前記口出し部品に組み付けられ前記センサリード線を保持するセンサリード線保持部品と、
を備え、
前記口出し部品は、前記センサリード線保持部品を係り止める係り止め部に接続され、前記固定子の径方向に対して略垂直な平面部を径外側に備えることを特徴とするモールド固定子。
【請求項２】
前記リード線配線部品は、前記回転子へ取付けるための複数の取付け足を径外側に有し、
前記複数の取付け足は、前記固定子に設けられた固定用のピンを挿入するための穴をそれぞれ有し、
前記複数の取付け足のうち、前記口出し部品の両端近くに設けられている２つの取付け足は壁部を備えることを特徴とする請求項１に記載のモールド固定子。
【請求項３】
前記平面部は、前記壁部から離れた位置に設けられていることを特徴とする請求項２に記載のモールド固定子。
【請求項４】
請求項１、２または３に記載のモールド固定子を用いたモールド電動機。
【請求項５】
請求項４に記載のモールド電動機を送風機用電動機として搭載したことを特徴とする空気調和機。
【発明の詳細な説明】
【技術分野】
【０００１】
本発明は、モールド固定子、モールド電動機および空気調和機に関する。
【背景技術】
【０００２】
従来より、空気調和機の室内機用ファンモータや室外機用ファンモータには、モールド電動機が採用されている。このモールド電動機は、固定子がモールド樹脂によりモールド成形されて外郭が形成され、その外郭の内周側に回転子が自在に配置されている。モールド電動機には、固定子や配線基板からのリード線を外部に引出すための配線口出し部品が取付けられている。そして、この配線口出し部品は、固定子や配線部品とともにモールド樹脂により一体成形されている。【０００３】
ただし、このような構造の場合、モールド電動機の外郭と配線口出し部品との隙間や界面、あるいは、配線口出し部品とリード線との隙間や界面から水が浸入しやすい。そこで従来ではその防水性を確保するための対策として、シール材の塗布やテープの貼り付け等の二次加工が必要になるという問題があった。【０００４】
下記特許文献１に示される従来の電動機は、固定子のモールド成形後に、水が基板に到達することがないようにリード線配線部品を備える。リード線配線部品には電子部品が実装される基板を組み付けることができ、リード線配線部品は固定子に設置される。さらにリード線配線部品は、固定子に電力を供給する電源リード線と、基板への電力を供給すると共に回転子の位置情報を基板へ供給するセンサリード線とを引回すように構成されている。【０００５】
また、下記特許文献２に示される従来の電動機では、固定子がモールド樹脂によりモールド成形されて外郭が形成され、さらに、モールド電動機の外郭からリード線を引出すブッシング（口出し部）が外郭と一体成形される。この電動機は、ブッシング（口出し部）が弾性体であることを特徴とし、ブッシング（口出し部）がモールド化され、外郭に圧縮されることで口出し部からの水の浸入を抑制することができる。
【先行技術文献】
【特許文献】
【０００６】
【特許文献１】特開２０１０−２７３５２５号公報
【特許文献２】特開２００９−１１２０６７号公報
【発明の概要】
【発明が解決しようとする課題】
【０００７】
しかしながら、上記特許文献１に示される従来のモールド電動機の固定子では、配線口出し部がリード線配線部品と一体的に形成され、さらに固定子鉄心の外周側に設置されている。そのため、配線口出し部とリード線配線部品との間には連結部が形成され、この連結部とモールド材との界面が水の浸入経路となる。従って、連結部が配線口出し部から浸入した水の浸水経路となり、この水が基板および固定子に到達する。水が基板に達すると、電源リード線と基板との間に水が溜まり、基板に通電することで基板のパターン腐食が生じてパターン切れが発生する。このことにより回転子位置の検出が困難となり、電動機が運転不能になるおそれがあるといった問題があった。また、配線口出し部とリード線配線部品を分離した際に、配線口出し部の位置決めが不安定となる恐れがあった。【０００８】
また、上記特許文献２に示される従来のモールド電動機の固定子では、ブッシング材料が弾性体であるため、劣悪な環境ではブッシング材の劣化などの耐環境性の問題があった。【０００９】
本発明は、上記に鑑みてなされたものであって、更なる品質の向上を図ることができるモールド固定子、モールド電動機および空気調和機を得ることを目的とする。
【課題を解決するための手段】
【００１０】
上述した課題を解決し、目的を達成するために、本発明は、固定子と、回転子の位置検出回路が実装された基板とを含み、モールド樹脂に外郭が形成されたモールド固定子であって、前記固定子の軸方向の一端に取付けられ、電源リード線を前記固定子の巻線まで配線するとともに、センサリード線を前記位置検出回路まで配線する、ドーナツ形状のリード線配線部品と、前記リード線配線部品の径外側に設けられ、前記電源リード線および前記センサリード線をモールド固定子の外部に口出しする口出し部品と、前記口出し部品に組み付けられ前記電源リード線を保持する電源リード線保持部品と、前記口出し部品に組み付けられ前記センサリード線を保持するセンサリード線保持部品と、を備え、前記口出し部品は、前記センサリード線保持部品を係り止める係り止め部に接続され、前記固定子の径方向に対して略垂直な平面部を径外側に備えることを特徴とする。
【発明の効果】
【００１１】
本発明にかかるモールド固定子によれば、モールド成形する際の口出し部品にかかる成形圧力が増加するので、口出し部品がより強い力で径方向に押し付けられてモールド金型に当接し、径方向の位置決めが可能となる、という効果を奏する。
【図面の簡単な説明】
【００１２】
【図１】図１は、本発明の実施の形態に係る電動機の固定子組立を基板側から見た斜視図である。
【図２】図２は、リード線配線部品の斜視図である。
【図３】図３は、図２に示されるリード線配線部品を反対面から見た斜視図である。
【図４】図４は、リード線端末保持部の拡大図である。
【図５】図５は、口出し部品およびその周辺の拡大図である。
【図６】図６は、基板保持部およびその周辺の拡大図である。
【図７】図７は、基板保持部およびその周辺の拡大図である。
【図８】図８は、センサ基板の斜視図である。
【図９】図９は、電源リード線が引回された状態のリード線配線部品の斜視図である。
【図１０】図１０は、電源リード線保持部品の斜視図である。
【図１１】図１１は、センサリード線保持部品の斜視図である。
【図１２】図１２は、モールド固定子の斜視図である。
【図１３】図１３は、モールド電動機の斜視図である。
【図１４】図１４は、モールド電動機の側面図である。
【図１５】図１５は、モールド電動機の製造工程を示す図である。
【図１６】図１６は、モールド電動機を内蔵した空気調和機の構成図である。
【発明を実施するための形態】
【００１３】
以下に、本発明にかかるモールド固定子、モールド電動機および空気調和機の実施の形態を図面に基づいて詳細に説明する。なお、この実施の形態によりこの発明が限定されるものではない。
【００１４】
実施の形態．
図１は本発明の実施の形態に係る電動機の固定子組立を基板側から見た斜視図である。図２は図１に示されるリード線配線部品の斜視図である。図３は図２に示されるリード線配線部品を裏面（反対面）から見た斜視図である。図４は図２に示されるリード線配線部品が備えているリード線端末保持部の拡大図である。図５は図２に示されるリード線配線部品が備えている口出し部品およびその周辺の拡大図である。図６は図２に示されるリード線配線部品が備えている基板保持部およびその周辺の拡大図である。図７は図６とは異なる方向から見た場合の基板保持部およびその周辺の拡大図である。図８はセンサ基板の斜視図である。図９は電源リード線が引回された状態のリード線配線部品の斜視図である。図１０は電源リード線保持部品の斜視図である。図１１はセンサリード線保持部品の斜視図である。図１２はモールド固定子の斜視図である。図１３はモールド電動機の斜視図である。図１４はモールド電動機の側面図である。図１５はモールド電動機の製造工程を示す図である。図１６はモールド電動機を内蔵した空気調和機の構成図である。
【００１５】
図１に示した固定子組立３０は、環状の固定子１０と、固定子１０の軸方向の一端にて固定子１０に組付けられたリード線配線部品１と、リード線配線部品１に組付けられる基板１１と、リード線配線組立４０とを備える。
【００１６】
固定子１０は、電磁鋼板が帯状に打ち抜かれ、かしめ、溶接、および接着等で回転子（図示せず）のシャフト７２（図１３参照）の軸方向に積層して成る固定子鉄心８２と、絶縁部８３と、絶縁部８３にマグネットワイヤが巻回されて成る巻線８４とを有して構成されている。
【００１７】
絶縁部８３は、ＰＢＴ（ポリブチレンテレフタレート）等の熱可塑性樹脂を固定子鉄心８２と一体に成形され、または成形後に固定子１０に組付けることで形成される。絶縁部８３には、基板１１側に突出した複数のピン８１と、外部からの電源が供給される複数の端子１２とが設けられている。
【００１８】
マグネットワイヤの端末の一方は、端子１２のフック部８５に引回され、ヒュージングあるいは半田等で接合される。他方は、全相の端末がまとめられて中性点を形成する。
【００１９】
なお、以下の説明では、固定子鉄心８２の軸方向の端面外側、すなわち端子１２を備える側を結線側と称し、その反対側を反結線側と称する。
【００２０】
絶縁部８３を構成する絶縁外壁８３ａは、巻線８４が固定子鉄心８２の外周側に倒れるのを防止し、絶縁外壁８３ａの結線側の軸方向端部には、リード線配線部品１を固定子１０に取付けるための複数のピン８１が設けられている。
【００２１】
絶縁部８３を構成する絶縁内壁８３ｂは、巻線８４が固定子鉄心８２の内周側に倒れるのを防止し、絶縁内壁８３ｂの反結線側の軸方向端部には、固定子組立３０をモールド成形する際、金型芯金部に対して軸方向に当て止めされる突起（図示せず）が設けられている。
【００２２】
なお、絶縁外壁８３ａの軸方向端部は、その高さが巻線８４の軸方向における最大高さよりも若干高くなるように形成されている。また、巻線８４は、その軸方向における高さが、絶縁外壁８３ａから絶縁内壁８３ｂに向かうにつれて低くなるように形成されている。この構成において、絶縁内壁８３ｂの反結線側の突起（図示せず）の高さを、絶縁外壁８３ａの軸方向端部の高さと同じにした場合、巻線８４までの距離を十分に確保することができる。そのため、固定子１０の反結線側を下にした状態で金型芯金部に固定子１０を設置したとき、金型芯金部に巻線８４が当たることなく固定子１０を安定して置くことができる。その結果、生産性が向上すると共に品質も向上する。
【００２３】
リード線配線組立４０は、巻線８４に電源を供給する電源リード線８と、センサリード線７と、センサリード線７の端末に接続されたボードインコネクタ８０とを有して構成されている。ボードインコネクタ８０は、センサリード線７の端末のうち、固定子１０がモールド成形された際にモールド内部となる側の端末に接続される。
【００２４】
基板１１には、回転子の位置検出回路として、ホールＩＣ３４等の電子部品が実装されている（図８参照）。ボードインコネクタ８０は、基板１１の反固定子側面に設置され、ボードインコネクタ８０に設けられた端子（図示せず）が基板１１に形成された端子挿入孔（図示せず）を介して基板１１の固定子側面に表出する。端子挿入孔は、基板１１上の配線パターンと結ばれているため、ボードインコネクタ８０に設けられた端子が端子挿入孔に半田接合されることにより、センサリード線７は、基板１１上の電子部品と電気的に接合される。
【００２５】
これらのセンサリード線７および電源リード線８は、リード線配線部品１を用いて配線される。また、センサリード線７および電源リード線８は、電源リード線保持部品４（図１０参照）、センサリード線保持部品５（図１１参照）および口出し部品６（図５参照）からなるリード線口出し部２（図１参照）により、リード配線部品１との位置関係が維持される。
【００２６】
次に、リード線配線部品１を説明する。リード線配線部品１は、ＰＢＴ等の熱可塑性樹脂を使用して略ドーナツ型に成形されている（図２参照）。図２に示したように、リード線配線部品１の外周には、固定子１０への取付け足１３が複数個設けられている。各取付け足１３は、固定子１０の絶縁部８３が備えているリード線配線部品取付け用のピン８１を挿入するための穴１３ａを有する。固定子１０にリード線配線部品１を組付ける際には、取付け足１３が固定子１０の絶縁部８３の配線部品の設置面に当接して軸方向の位置決めがなされる。このとき、絶縁部８３のピン８１が取付け足１３の穴１３ａに挿入されてリード線配線部品１の回転方向の位置決めがなされる。位置決めが完了した状態、すなわち絶縁部８３のピン８１が取付け足１３の穴１３ａに挿入された状態において、ピン８１を例えば超音波溶着することにより、リード線配線部品１と固定子１０が固定される。
【００２７】
リード線配線部品１は、固定子１０の径外側に配置されるリード線口出し部２（図１参照）に近接する取付け足１３からリード線口出し部２に向かって所定の高さ、所定の幅の壁部１６を備える。壁部１６は、リード線配線部品１が固定子１０に組付けられると、固定子の径方向（固定子１０の中心軸に向かう方向）に対して略垂直となる平面を径外側に有している。壁部１６を備えることで固定子１０とリード線配線部品１を固定する超音波溶着作業の際に、溶けた絶縁部８３のピン８１が固定子１０の径外方向へ流出するのを防止できる。その結果、溶けた絶縁部８３のピン８１がモールド固定子の外部に表出するのを抑制することができ、品質の向上が図れる。また、固定子１０のモールド成形の際にリード線口出し部２周辺の樹脂の流れが整えられ、リード線口出し部２への樹脂圧をさらに増加させることができ、品質の向上が図れる。さらに、壁部１６はリード線組立の際に治具の位置決めにも使用することができ、リード線組立の作業性向上が図れる。
【００２８】
電源リード線８の配線に関して説明する。電源リード線８は、リード線口出し部２を経由し、リード線配線部品１に沿って固定子１０の端子１２まで引回される。すなわち、電源リード線８を構成している３相の電源リード線が、概略１２０°に配置された固定子１０の端子１２まで、それぞれ引回される。３相の電源リード線は、被覆が剥かれた端末をリード線端末保持部１４の壁に当接して位置決めし、固定子１０にリード線配線部品１が組付けられた際に、リード線配線部品１の固定子１０側の面（リード線配線面２１）および内周に備えた壁（壁２２）に沿って、引回される（図３参照）。なお、壁２２には、電源リード線８の位置ずれ防止用の突起２２ａが複数設けられている。また、電源リード線８は、口出し部品６近傍に設けられているリード線折り返しピン２７で口出し部品６方向に曲げられて引回され、口出し部品６近傍に設けられている電源リード線保持突起（図示せず）に嵌めこみ保持される。なお、リード線折り返しピン２７は、リード線の位置ずれを防止する役割をもった突起である。
【００２９】
３つのリード線折り返しピン２７のうち、両端の２つのリード線折り返しピン２７は、真中のピンよりも所定の高さだけ高く形成されている。これにより、電源リード線がリード線口出し部付近で軸方向に位置ずれするのを防止し、品質の向上が図れる。
【００３０】
３本の電源リード線８は、口出し部品６とその下段に備える電源リード線保持部品４とにより形成される電源リード線保持部を経由して、それぞれ異なるリード線端末保持部１４へ引回される。口出し部品６より最も離れたリード線端末保持部１４（第１のリード線端末保持部）に引回す電源リード線８は、口出し部品６が備えている中央の溝（図３参照）に引回され、さらに、第１のリード線端末保持部に引回される。口出し部品６の両側のリード線端末保持部１４（第２のリード線端末保持部）に配線される電源リード線８は、口出し部品６が備えている外側の溝（図３参照）にそれぞれ引回され、さらに、第２のリード線端末保持部に引回される。ここで、第２のリード線端末保持部に配線される２本の電源リード線８のどちらか一方は、第１のリード線端末保持部に配線される電源リード線８の外側を引回される（図９参照）。図９は、電源リード線８が引回された状態のリード線配線部品１（固定子側）を示す図である。
【００３１】
被覆を剥かれた電源リード線８の芯線は、それぞれのリード線端末保持部１４より所定の距離離れた芯線保持部２４に、固定子１０にリード線配線部品１が組付けられた際に固定子１０の端子１２と芯線とが近接するように保持される（図４参照）。
【００３２】
また、端子１２と芯線とを挟み込む電極の空間確保のために、電極逃がし用の凹部２３をリード線配線部品１に設けている。端子１２と芯線とを挟み込む電極の空間は、固定子１０にリード線配線部品１が組付けられた後に行われる、芯線と端子１２をスポット溶接する作業のために必要となる。なお、凹部２３を設けたことにより、電源リード線８は、リード線配線部品１のリード線配線面２１（図３参照）よりもさらに固定子１０側に引回される。また、位置ずれ防止突起２５が電極逃がし用の凹部２３の近くに設けられている。この位置ずれ防止突起２５により、電源リード線８の軸方向の位置決めがなされる。
【００３３】
また、図２に示すように、リード線配線部品１は、反固定子側の面に略台形状の台座１９を複数個備える。これらの台座１９の反固定子側端面がモールド成形時に金型に当接することにより、固定子組立３０の軸方向の位置決めが可能となる。また、台座１９を略台形状としたことにより、台座１９がモールド固定子の外部に表出される面積を少なくするとともに、台座１９の座屈強度を高めることができる。
【００３４】
また、リード線配線部品１は、固定子１０に取付けられた後に実施するモールド成形時の位置決めに使用する位置決め部１８を備える（図２，図３参照）。位置決め部１８は、リード線配線部品１が固定子１０に取付けられ、固定子組立３０とされた状態において固定子１０の内径より内側に位置し、かつモールド金型の径方向の位置決めを行うセンターシャフトから突出するピンまたは突起等に対応する所定の位置に設けられている。位置決め部１８は挿入穴１８ａを有し、この挿入穴１８ａにモールド金型の径方向の位置決めを行うセンターシャフトから突出したピンまたは突起等を挿入することで固定子組立３０の回転方向の位置決めがなされる。このとき、モールド金型に固定される口出し部品６と固定子組立３０のリード線（センサリード線７および電源リード線８）が略同一直線上に位置決めされる。略同一直線上に位置決めされることで、モールド金型に固定子１０が回転方向にずれてセットされ、口出し部品６との角度がずれるのを防止するとともに、センサリード線７が引っ張られて基板１１のはんだ部に負荷がかかるのを抑制することができる。位置決め部１８は、さらに、モールド成形時の樹脂圧により固定子１０に回転方向の力が加わった際には回転止めの役割を果たす。
【００３５】
なお、位置決め部１８はリード線配線部品１のドーナツ状の本体１ａに設けてもよいし、図２や図３に示すように本体１ａから連結させて設けてもよい。本体１ａから連結させて設ける場合には、リード線配線部品１の本体１ａから位置決め部１８まで、薄肉連結形状とすることで、成形中の樹脂圧によって位置決め部１８が変形し、モールド内径部側に表出してしまうのを抑制することができ、品質の向上が図れる。
【００３６】
また、リード線配線部品１の位置決め部１８は、反結線側（固定子側）に、モールド金型の径方向の位置決めを行うセンターシャフト軸方向端面に当接する所定の高さの突起１８ｂを備える（図３参照）。突起１８ｂを備えることで、モールド成形時に突起１８ｂがセンターシャフトの軸方向端面と当接し、軸方向の位置決めがなされる。これにより、成形中の樹脂圧によって位置決め部１８が変形し、モールド内径部側に表出するのを抑制することができ、品質の向上が図れる。
【００３７】
また、リード線配線部品１の位置決め部１８は、後述する基板保持部１５と対向する位置に備えられている。本実施の形態の固定子組立３０を備えて構成されているモールド電動機を、例えば、空気調和機の室外機ユニットに対して軸水平に設置する場合、モールド電動機への浸水対策のために下側に口出し部品６が来るように取付ける。その場合、室外機ユニットの上側に位置決め部１８が配置されるので、モールド電動機内部に水分が浸入した際に、モールド成形時にモールド金型のセンターシャフトに当接していた面からの浸水を抑制することができ、品質の向上が図れる。
【００３８】
また、リード線配線部品１の固定子１０の内周側には、基板１１を組付けるための爪部３１および溝部３２を含んだ基板保持部１５が設けられている（図３、図６、図７など参照）。基板保持部１５には、回転子の位置検出回路を実装した基板１１（図８参照）が組付けられる。図８に示したように、基板１１は、対角線上の角を面取りされた略長方形状で、一方の長辺にはリード線配線部品１を係り止めするための溝部３５を備え、他方の長辺にはリード線配線部品１に組み付けた際に位置決めとなるよう一部が切欠かれた切欠き部３６を備える。
【００３９】
また、リード線配線部品１の基板保持部１５は、基板１１の溝部３５に係り止めされる爪部３１と、基板１１の組付け時に基板１１の一部が切欠かれた長辺が嵌め込まれる溝部３２とを備える。基板１１の切欠き部３６と、基板保持部１５の溝部３２の嵌めあいによって、モールド成形時の成形圧によるリード線配線部品１と基板１１が移動や変形するのを抑制できるようになり、モールド電動機の品質向上を図ることができる。また、リード線配線部品１の基板保持部１５が備える溝部３２に基板１１の一部が切欠かれた長辺を挿入しながら基板１１をリード線配線部品１に組み付けることにより、基板１１をリード線配線部品１に容易に組付けることができる。上記の構造により基板１１に不用意に大きな位置決めを設ける必要がないので、基板１１の面積を縮小することができ、基板１１の取り数が増加し、電動機の低コスト化を図ることができる。
【００４０】
なお、製造時には、基板１１が組付けられた後、基板１１とセンサリード線７のボードインコネクタ８０を半田で接合する。センサリード線７は口出し部品６の電源リードが配線された面とは反対面に、口出し部品６に向って引回される。
【００４１】
基板１１を組付ける爪部３１は、図２や図５に示すように、複数の薄肉連結部２８により、リード線配線部品１のドーナツ状の本体１ａと接続されている。そのため、モールド成形時に基板１１が受ける成形圧を分散させることができる。
【００４２】
薄肉連結部２８は、反固定子側に突出し形成された突起２９を備え、モールド成形時に突起２９がモールド金型に当接することにより基板１１の軸方向の位置決め及びズレ防止が可能となる（図２，図５参照）。
【００４３】
図５に示すように、口出し部品６は、円周方向末端から、リード線配線部品１へ向かって円周方向に所定の長さ延びる、平面部としての突起１７を備える。突起１７は、リード線配線部品１が固定子１０に組付けられると、固定子の径方向（固定子１０の中心軸に向かう方向）に対して略垂直となる平面を径外側に有している。この突起１７を備えることにより、口出し部品６の径方向の投影面積が増加し、モールド成形の際に口出し部品６にかかる径方向の成形圧力も増加する。径方向の成形圧力が増加することにより、配線部品が従来よりも強い力で径方向に押し付けられ、その結果、モールド金型に当接して径方向の位置決めを行うことができる。
【００４４】
また、口出し部品６は、２種のリード線保持部品を保持するための係り止め部、すなわち、電源リード線保持部品４を保持するための係り止め部２６ａと、センサリード線保持部品５を保持するための係り止め部２６ｂとを備えている。上記の突起１７は係り止め部２６ｂに接続されている。
【００４５】
図１０に示す電源リード線保持部品４は、口出し部品６の係り止め部２６ａに掛けられる足４１と、リブ４２とを備え、足４１の先端には、突起４１ａが設けられている。突起４１ａが係り止め部２６ａに当接することにより、電源リード線保持部品４の軸方向の位置決めがなされる。電源リード線保持部品４は、口出し部品６に電源リード線８が配線された後に、足４１が口出し部品６の係り止め部２６ａに係り止められて組付けられる。電源リード線保持部品４が口出し部品６に係り止められたとき、リブ４２が口出し部品６に当接することにより、電源リード線８がリード線口出し部２の外側に表出する開口の量を抑えることができる。また、足４１の突起４１ａの反対側には切欠き部４１ｂが設けられている。電源リード線保持部品４が口出し部品６に係り止められたとき、切欠き部４１ｂは、口出し部品６を越えてセンサリード線保持部品５側へ達し、複数（５本）存在するセンサリード線７のうち、口出し部品６の外側に配線されている２本のセンサリード線７の円周方向の位置を保持するためのガイドとして作用する。
【００４６】
図１１に示すセンサリード線保持部品５は、口出し部品６の係り止め部２６ｂに掛けられる、Ｌ字型の足５１を備える。センサリード線保持部品５は、口出し部６にセンサリード線７が配線された後に、口出し部品６の係り止め部２６ｂに係り止められて組付けられる。
【００４７】
本実施の形態の固定子組立３０では、センサリード線７および電源リード線８をリード線配線部品１のそれぞれの面で引回す。すなわち、センサリード線７は、リード線配線部品１の反固定子側（図２に示した側）の面で引回し、電源リード線８は、リード線配線部品１の固定子側（図３に示した側）の面で引回す。これにより、組立てが容易となり組立てにかかるコストの低減が図れるとともに、組立てが容易になることに伴い品質の向上が図れる。また、電源リード線８を固定子側の面に設けられた突起２２ａで保持して、軸方向の位置ずれを防止するので、品質の向上が図れる。
【００４８】
また、リード線配線部品１が、２種類の係り止め部２６ａおよび２６ｂを有し、係り止め部２６ａが電源リード線８を保持し、係り止め部２６ｂがセンサリード線７を保持する。そのため、各リード線をリード線配線部品１に強固に組み付けることが可能となり、信頼性の向上に伴う品質の向上が図れる。さらに、電源リード線保持部品４の足４１（切欠き部４１ｂ）をセンサリード線７の保持にも使用することで、組立てが容易になるとともにコストの低減が図れる。また、組立てが容易になることに伴い品質の向上が図れる。
【００４９】
上記のような構成にてセンサリード線７および電源リード線８が配線されたリード線配線部品１を電動機の固定子１０に組付け、リード線配線部品１の取付け足１３より突出した、固定子１０の絶縁部８３のピン８１を、熱溶着、超音波溶着、等を実施して固定すると、センサリード線７および電源リード線８が組付けられた固定子組立３０が得られる（図１）。
【００５０】
また、図１に示した固定子組立３０を、ＢＭＣ（バルクモールディングコンパウンド）等の熱硬化性樹脂のモールド樹脂でモールド成形すると、図１２に示したモールド固定子６０が得られる。さらに、モールド固定子６０の開口部６２に回転子（図示せず）およびブラケット７４を組み込むことにより、図１３および図１４に示したモールド電動機７０が得られる。
【００５１】
リード線配線部品１と口出し部品６が別部品であり、所定の距離離れていることから、リード線配線部品１が備えている壁部１６と口出し部品６が備えている突起１７も離れている。そのため、リード線口出し部２とモールド樹脂との界面を伝わる水分の浸入を抑制することが可能なため、固定子１０の品質向上が可能となる。
【００５２】
モールド固定子６０をモールド成形する際、固定子組立３０のリード線口出し部２は、モールド成形の圧力により固定子１０の中心から径外側に押し出される。そのため、リード線口出し部２は、固定子鉄心８２に接触することなく、その位置が維持される。よって、モールド成形時に各リード線が接触した状態で固定されることがなく、各リード線が接触する部分に空隙が生じることもない。従って、リード線口出し部２とモールド樹脂との隙間や界面から浸入した水が、各リード線の空隙を伝わって基板１１に到ることがない。その結果、モールド固定子６０の品質の向上が図れる。
【００５３】
また、固定子１０をモールド金型に設置した際、絶縁内壁８３ｂの反結線側に形成された突起（図示せず）は、モールド金型に形成された設置部で支えられる。この設置部は、例えば、固定子鉄心８２の内径寸法より若干大きい外径の段付き部や、金型芯金部の開口部設置面から固定子１０側に突状に延びる複数の爪や、金型芯金部の近傍のブラケット設置面から固定子鉄心８２の内径とは繋がらない状態で延びる複数の突起などである。
【００５４】
このように、固定子１０が金型の設置部で支えられるため、モールド成形時に固定子１０の外周部を金型（規制部材）で支える必要が無い。従って、モールド固定子６０の外郭には、固定子鉄心８２とモールド樹脂との間の境界面が形成されることがない。
【００５５】
さらに、金型の突起で固定子１０を支える場合、モールド固定子６０を金型に設置したときでも、絶縁内壁８３ｂの反結線側に形成された突起（図示せず）が固定子鉄心８２の内径側に表出することがなくなり、水の浸入に対する抑制効果をより高めることができる。
【００５６】
図１３および図１４において、モールド固定子６０には、ブラケット７４を用いて、回転子のシャフト７２と防水キャップ７１とＥリング７３とが組付けられる。防水キャップ７１はシャフト７２とブラケット７４との間からの水の浸入を防ぐためのものである。このことにより、生産性が良く、これに伴い品質が良く、かつ、コスト低減を図ることが可能なモールド電動機７０が得られる。
【００５７】
次に図１５を用いてモールド電動機７０の製造工程を説明する。
（１）ステップ１：固定子鉄心８２を製造する。併せて、リード線配線組立４０とリード線配線部品１とを製造する。
（２）ステップ２：固定子鉄心８２に巻線８４が施される。併せて、リード線配線部品１にリード線配線組立４０の電源リード線８が配線される。このとき電源リード線８の芯線が芯線保持部２４まで引回される。併せて、電源リード線保持部品４が製造される。
（３）ステップ３：リード線配線部品１に電源リード線保持部品４を組付ける。併せて、基板１１を製造する。
（４）ステップ４：リード線配線部品１に基板１１を組付ける。基板保持部１５に組付けられた基板１１には、ボードインコネクタ８０の端子が半田付けされる。併せて、センサリード線保持部品５を製造する。
（５）ステップ５：リード線配線部品１にセンサリード線保持部品５を組付ける。
（６）ステップ６：固定子１０にリード線配線部品１を組付け、リード線配線部品１の取付け足１３から出るピン８１を熱溶着し、固定子１０の端子１２と電源リード線８の芯線をスポット溶接する。
（７）ステップ７：固定子組立３０をモールド成形してモールド固定子６０を製造する。併せて、回転子、ブラケット７４等の部品を製造する。
（８）ステップ８：モールド固定子６０に回転子などを組付けてモールド電動機７０を製造する。
【００５８】
図１６には、本発明の実施の形態に係るモールド電動機７０を内蔵した空気調和機１００が示されている。空気調和機１００は、室内機２００と、室内機２００に接続される室外機３００とを備える。室内機２００および室外機３００には、送風機の駆動源としてモールド電動機７０が設けられている。なお、モールド電動機７０を室内機２００および室外機３００に設置する際には、モールド固定子６０の外周側から径外側に延びる複数の取付け足６１（図１２参照）が使用される。このようにモールド電動機７０を空気調和機１００の主要部品である送風機用電動機として用いることで、送風機用電動機の固定子内部への水の浸入が抑制され、低コストで品質の良い空気調和機１００を得ることができる。
【００５９】
以上に説明したように、本実施の形態に係るモールド固定子６０は、回転子の位置検出回路を構成する電子部品が実装された基板１１と、固定子１０の巻線８４に電力を供給する電源リード線８と基板１１に接続されるセンサリード線７とが配線されるリード線配線部品１と、リード線配線部品１の径外側に設けられ、モールド固定子６０の外部にリード線を口出しする口出し部品６と、口出し部品６に組み付けられて電源リード線８を保持する電源リード線保持部品４と、口出し部品６に組み付けられてセンサリード線７を保持するセンサリード線保持部品５と、を備え、口出し部品６は、径方向の投影面積を増加させるための突起１７を備えている。これにより、モールド固定子６０をモールド成形する際の口出し部品６にかかる成形圧力が増加するので、口出し部品６がより強い力で径方向に押し付けられてモールド金型に当接し、径方向の位置決めが可能となる。
【００６０】
また、リード線配線部品１は、固定子１０の径外側に配置される口出し部品６に近接する取付け足１３から口出し部品６に向かって所定の高さかつ所定の幅の壁部１６を備えるので、モールド固定子６０をモールド成形する際の口出し部品６周辺の樹脂の流れが整えられる。その結果、口出し部品６にかかる力をさらに増加させることができ、口出し部品６の径方向の位置決め精度が向上するので、品質の向上が図れる。また、壁部１６を備えたことにより、固定子１０とリード線配線部品１を固定する超音波溶着作業の際に、溶けた絶縁部（ピン８１）がモールド固定子６０の外部に表出するのを抑制することができ、品質の向上が図れる。また、壁部１６は、リード線組立の際に治具の位置決めとして使用できるので、組付けの作業性を向上させることができる。
【００６１】
また、口出し部品６が円周方向末端からリード線配線部品１へ向かって円周方向に所定の長さ延びる突起１７は、リード線配線部品１の壁部１６から所定の距離離れているので、口出し部品６から水が浸入し、樹脂部とモールドの界面を伝わり内部に浸入する水分が基板１１へ到達するのを抑制することができ、浸水耐力の向上が図れる。
【００６２】
なお、本発明の実施の形態にかかるモールド固定子は、本発明の内容の一例を示すものであり、更なる別の公知の技術と組み合わせることも可能であるし、本発明の要旨を逸脱しない範囲で、一部を省略するなど、変更して構成することも可能であることは無論である。
【産業上の利用可能性】
【００６３】
以上のように、本発明は、モールド固定子、モールド電動機および空気調和機として有用である。
【符号の説明】
【００６４】
１  リード線配線部品、１ａ  本体、２  リード線口出し部、４  電源リード線保持部品、５  センサリード線保持部品、６  口出し部品、７  センサリード線、８  電源リード線、１０  固定子、１１  基板、１２  端子、１３  取付け足、１３ａ  穴、１４  リード線端末保持部、１５  基板保持部、１６  壁部、１７，１８ｂ，２９，４１ａ  突起、１８  位置決め部、１８ａ  挿入穴、１９  台座、２１  リード線配線面、２２  壁、２３  凹部、２４  芯線保持部、２５  位置ずれ防止突起、２６ａ，２６ｂ  係り止め部、２７  リード線折り返しピン、２８  薄肉連結部、３０  固定子組立、３１  爪部、３２，３５  溝部、３４  ホールＩＣ、３６  切欠き部、４０  リード線配線組立、４１，５１  足、４２  リブ、６０  モールド固定子、７０  モールド電動機、７１  防水キャップ、７２  シャフト、７３  Ｅリング、７４  ブラケット、８０  ボードインコネクタ、８１  ピン、８２  固定子鉄心、８３  絶縁部、８３ａ  絶縁外壁、８３ｂ  絶縁内壁、８４  巻線、８５  フック部、１００  空気調和機、２００  室内機、３００  室外機。
【図１】
2015059775.tif 000003
【図２】
2015059775.tif 000004
【図３】
2015059775.tif 000005
【図４】
2015059775.tif 000006
【図５】
2015059775.tif 000007
【図６】
2015059775.tif 000008
【図７】
2015059775.tif 000009
【図８】
2015059775.tif 000010
【図９】
2015059775.tif 000011
【図１０】
2015059775.tif 000012
【図１１】
2015059775.tif 000013
【図１２】
2015059775.tif 000014
【図１３】
2015059775.tif 000015
【図１４】
2015059775.tif 000016
【図１５】
2015059775.tif 000017
【図１６】
2015059775.tif 000018
【手続補正書】
【提出日】平成27年12月4日(2015.12.4)
【手続補正１】
【補正対象書類名】特許請求の範囲
【補正対象項目名】全文
【補正方法】変更
【補正の内容】
【特許請求の範囲】
【請求項１】
固定子と、回転子の位置検出回路が実装された基板とを含み、モールド樹脂に外郭が形成されたモールド固定子であって、
前記固定子の軸方向の一端に取付けられ、電源リード線を前記固定子の巻線まで配線するとともに、センサリード線を前記位置検出回路まで配線する、ドーナツ形状のリード線配線部品と、
前記リード線配線部品の径外側に設けられ、前記電源リード線および前記センサリード線をモールド固定子の外部に口出しする口出し部品と、
を備え、
前記口出し部品は、前記固定子の径方向に対して略垂直な平面部を有する突起を径外側に備えるモールド固定子。
【請求項２】
前記リード線配線部品は、前記固定子へ取付けるための複数の取付け足を外周に有し、
前記複数の取付け足は、前記固定子に設けられた固定用のピンを挿入するための穴をそれぞれ有し、
前記複数の取付け足のうち、前記口出し部品の両端近くに設けられている２つの取付け足は壁部を備える請求項１に記載のモールド固定子。
【請求項３】
前記平面部は、前記壁部から離れた位置に設けられている請求項２に記載のモールド固定子。
【請求項４】
請求項１、２または３に記載のモールド固定子を用いたモールド電動機。
【請求項５】
請求項４に記載のモールド電動機を送風機用電動機として搭載した空気調和機。
【手続補正書】
【提出日】平成28年10月5日(2016.10.5)
【手続補正１】
【補正対象書類名】特許請求の範囲
【補正対象項目名】全文
【補正方法】変更
【補正の内容】
【特許請求の範囲】
【請求項１】
固定子と、回転子の位置検出回路が実装された基板とを含み、モールド樹脂に外郭が形成されたモールド固定子であって、
前記固定子の軸方向の一端に取付けられ、電源リード線を前記固定子の巻線まで配線するとともに、センサリード線を前記位置検出回路まで配線する、ドーナツ形状のリード線配線部品と、
前記リード線配線部品の径外側に設けられ、前記電源リード線および前記センサリード線をモールド固定子の外部に口出しする口出し部品と、
を備え、
前記口出し部品は、センサリード線保持部品を保持する係り止め部と、前記固定子の径方向に対して略垂直な平面部を有する突起とを径外側に備えるモールド固定子。
【請求項２】
前記リード線配線部品は、前記固定子へ取付けるための複数の取付け足を外周に有し、
前記複数の取付け足は、前記固定子に設けられた固定用のピンを挿入するための穴をそれぞれ有し、
前記複数の取付け足のうち、前記口出し部品の両端近くに設けられている２つの取付け足は、前記固定子の径方向に対して略垂直な壁部を備える請求項１に記載のモールド固定子。
【請求項３】
前記平面部は、前記壁部から離れた位置に設けられている請求項２に記載のモールド固定子。
【請求項４】
請求項１、２または３に記載のモールド固定子を用いたモールド電動機。
【請求項５】
請求項４に記載のモールド電動機を送風機用電動機として搭載した空気調和機。
【手続補正２】
【補正対象書類名】図面
【補正対象項目名】図１
【補正方法】変更
【補正の内容】
【図１】
2015059775.tif 000019
【手続補正３】
【補正対象書類名】図面
【補正対象項目名】図１５
【補正方法】変更
【補正の内容】
【図１５】
2015059775.tif 000020
【国際調査報告】
2015059775.tif 000021
2015059775.tif 000022